(57)【要約】【課題】個別にカバーリングされたクッションピース間から内部構造が見えることを防止すること。【解決手段】個別にカバーリングされた隣り合う天板メイン部１０と天板サイド部２０の各サイドサポート２０Ａとを備えるシート１であって、天板メイン部１０と各サイドサポート２０Ａとの間を裏側から被覆する中見え防止カバー２３が設けられている。【選択図】図４
2018001992.tif 000002
【特許請求の範囲】
【請求項１】
個別にカバーリングされた隣り合う２つのクッションピースを備える乗物用シートであって、
当該２つのクッションピースの間を裏側から被覆する被覆材が設けられている乗物用シート。
【請求項２】
請求項１に記載の乗物用シートであって、
前記２つのクッションピースが、シート幅方向の中央の支持構造を成す天板メインピースと、シート幅方向の両サイドの支持構造を成す両天板サイドピースと、で構成され、
前記被覆材が、前記天板メインピースの裏側を通って該天板メインピースの両サイドに位置する前記両天板サイドピース間に架橋された構成とされている乗物用シート。
【請求項３】
請求項２に記載の乗物用シートであって、
前記被覆材が、前記両天板サイドピースの背面間に架橋されている乗物用シート。
【請求項４】
請求項２又は請求項３に記載の乗物用シートであって、
前記被覆材が、前記両天板サイドピース間において、前記天板メインピースに裏側からテンションを付与しない形に弛んだ状態として架橋されている乗物用シート。
【請求項５】
請求項２から請求項４のいずれかに記載の乗物用シートであって、
前記天板メインピースがその裏側に位置する前記被覆材に結合されている乗物用シート。
【請求項６】
請求項５に記載の乗物用シートであって、
前記天板メインピースがその裏側面における両サイドの縁部が前記被覆材に結合されている乗物用シート。
【発明の詳細な説明】
【技術分野】
【０００１】
本発明は、乗物用シートに関する。詳しくは、個別にカバーリングされた隣り合う２つのクッションピースを備える乗物用シートに関する。
【背景技術】
【０００２】
従来、自動車用のシートにおいて、シートバックの前面の中央部分である天板メインと、シートバックの前面の両サイド部分である天板サイドと、が互いに別体で構成された分割構造とされたものが知られている（特許文献１）。上記天板メインと天板サイドとは、それぞれが個別にカバーリングされて個別にシートフレームに組み付けられた構成とされている。
【先行技術文献】
【特許文献】
【０００３】
【特許文献１】実公平７−３６５５７号公報
【発明の概要】
【発明が解決しようとする課題】
【０００４】
上記従来技術では、天板メインと天板サイドとが互いに隙詰めされた状態に組み付けられてはいるが、外部から押される荷重により隙間が開いて内部構造が見えてしまうおそれがある。本発明は、上記問題を解決するものとして創案されたものであって、本発明が解決しようとする課題は、個別にカバーリングされたクッションピース間から内部構造が見えることを防止することにある。
【課題を解決するための手段】
【０００５】
上記課題を解決するために、本発明の乗物用シートは次の手段をとる。
【０００６】
第１の発明は、個別にカバーリングされた隣り合う２つのクッションピースを備える乗物用シートであって、２つのクッションピースの間を裏側から被覆する被覆材が設けられているものである。
【０００７】
この第１の発明によれば、個別にカバーリングされた２つのクッションピースの間を被覆材によって裏側から被覆することで、これらクッションピースが外部荷重によって互いの間が開かれるように力を受けても、これらクッションピースの間から内部構造が見えることを防止することができる。
【０００８】
第２の発明は、上述した第１の発明において、次の構成とされているものである。２つのクッションピースが、シート幅方向の中央の支持構造を成す天板メインピースと、シート幅方向の両サイドの支持構造を成す両天板サイドピースと、で構成されている。被覆材が、天板メインピースの裏側を通って天板メインピースの両サイドに位置する両天板サイドピース間に架橋された構成とされている。
【０００９】
この第２の発明によれば、被覆材を両天板サイドピース間に架橋することで、被覆材を天板メインピースに固定することなく、同天板メインピースと両天板サイドピースとの間を被覆材によって裏側から適切に被覆することができる。
【００１０】
第３の発明は、上述した第２の発明において、次の構成とされているものである。被覆材が、両天板サイドピースの背面間に架橋されている。
【００１１】
この第３の発明によれば、天板メインピースを両天板サイドピースの間に深く入り込ませた状態に設けることができる。したがって、天板メインピースに厚みを持たせたり、両天板サイドピースを天板メインピースに対して相対的に表側へ張り出させた状態に設けたりすることができる。
【００１２】
第４の発明は、上述した第２又は第３の発明において、次の構成とされているものである。被覆材が、両天板サイドピース間において、天板メインピースに裏側からテンションを付与しない形に弛んだ状態として架橋されている。
【００１３】
この第４の発明によれば、両天板サイドピース間に被覆材を架橋しても、天板メインピースが被覆材によって裏側から押し返されるような反発力を受けないため、天板メインピースのクッション性を阻害しないようにすることができる。
【００１４】
第５の発明は、上述した第２から第４のいずれかの発明において、次の構成とされているものである。天板メインピースがその裏側に位置する被覆材に結合されている。
【００１５】
この第５の発明によれば、天板メインピースと被覆材との間の隙を閉じることができ、指入れ防止や異物の入り込み防止を図ることができる。
【００１６】
第６の発明は、上述した第５の発明において、次の構成とされているものである。天板メインピースがその裏側面における両サイドの縁部が被覆材に結合されている。
【００１７】
この第６の発明によれば、天板メインピースと被覆材との間の隙を表側に近い浅い位置で閉じることができ、指入れ防止や異物の入り込み防止の効果をより高めることができる。
【図面の簡単な説明】
【００１８】
【図１】実施例１の乗物用シートの概略構成を表した斜視図である。
【図２】シートバックの分解斜視図である。
【図３】シートバックの正面図である。
【図４】図３のIV-IV線断面図である。
【発明を実施するための形態】
【００１９】
以下に、本発明を実施するための形態について、図面を用いて説明する。
【実施例１】
【００２０】
始めに、実施例１のシート１（乗物用シート）の構成について、図１〜図４を用いて説明する。本実施例のシート１は、図１に示すように、自動車の左側座席として構成されている。上記シート１は、着座乗員の背凭れ部となるシートバック２と、着座部となるシートクッション３と、頭凭れ部となるヘッドレスト４と、を備えた構成とされている。上述したシートバック２は、シートクッション３の後端部に、図示しない左右一対のリクライナを介して背凭れ角度の調節を行える状態に連結されている。ヘッドレスト４は、シートバック２の上面部に上側から差し込まれて装着された状態として設けられている。
【００２１】
上述したシートバック２は、具体的には、その前面の中央部分を成す天板メイン部１０と、シートバック２の前面の左右両サイド部分を成す天板サイド部２０と、を有する構成とされている。上述した天板メイン部１０は、着座乗員の背部を後ろ側から支持する構成とされている。また、天板サイド部２０は、天板メイン部１０の左右両サイド部にそれぞれ山状に膨らむサイドサポート２０Ａを有して、着座乗員の背部を左右両サイドから斜めに支持する構成とされている。上述した天板メイン部１０と天板サイド部２０とは、図２に示すように、それぞれが個別にサブアッシ化された構成とされていて、互いに一体的に組み付けられた構成とされている。ここで、上述した天板メイン部１０が本発明の「天板メインピース」に相当し、天板サイド部２０の各サイドサポート２０Ａがそれぞれ本発明の「天板サイドピース」に相当する。
【００２２】
具体的には、上述した天板メイン部１０は、上述した天板サイド部２０に対して、上側からジャケットのように被せ付けられた状態に組み付けられている。上記組み付けにより、天板メイン部１０は、上述した天板サイド部２０の上面部に対して、その上側の縁部から後下側に向かって鉤状に折れ曲がった形で延び出す肩掛け部１０Ａを背裏部に跨って引掛けた状態として、天板サイド部２０の前面の中央部分に垂れ掛けられた状態にセットされるようになっている。そして、上記天板メイン部１０は、上記組み付け後に、天板サイド部２０と合わせられた所々の部分がボルト締結されることにより、天板サイド部２０と一体的に組み付けられた状態とされている。上記組み付けにより、天板メイン部１０は、その肩掛け部１０Ａの上面中央部に形成された開口部１０Ｂから、天板サイド部２０の上面部を上側に露出させた状態とするようになっている。そして、上記開口部１０Ｂから露出する天板サイド部２０の上面部に対して、上述したヘッドレスト４が上側から差し込まれて装着されている。
【００２３】
図１〜図４に示すように、天板サイド部２０は、上記組み付けられた天板メイン部１０の左右両サイドの位置に、前外側に向かって斜めに膨らむ山形状のサイドサポート２０Ａを有した形に形成されている。前外側に向かって斜めに膨らむ山形状のサイドサポート２０Ａを有した構成とされている。これらサイドサポート２０Ａには、それぞれ、着座乗員の背部を弾性的に受け止めることのできるクッション構造（後述する天板サイドパッド２１の各サイドパッド部２１Ａ）が内装されている。また、上述した天板メイン部１０にも、着座乗員の背部を弾性的に受け止めることのできるクッション構造（後述する天板メインパッド１１）が内装されている。上記構成により、天板メイン部１０と天板サイド部２０の各サイドサポート２０Ａとによって、着座乗員の背部を後側と左右両サイドとからそれぞれ互いに一体感のある形で弾性的に受け止めることができるようになっている。
【００２４】
上述したシートバック２は、上述したようにサブアッシ化された天板サイド部２０に対して、同じくサブアッシ化された別体の天板メイン部１０が組み付けられて一体化された構成とされている。そのため、天板メイン部１０と天板サイド部２０の両サイドサポート２０Ａとの間には、それぞれ、互いが別体で構成されていることに伴う幅方向の隙間Ｔが形成されてしまう。上記の各隙間Ｔは、例え両者が幅方向に隙詰めされた形に組み付けられていても、各々のクッション構造の弾性により、外部から押される荷重によって開かれてしまうおそれがある。しかし、本シートバック２は、図２及び図４に示すように、上述した天板サイド部２０の両サイドサポート２０Ａの間に、天板メイン部１０の裏側を通るように可撓性面状の中見え防止カバー２３が架橋されていることにより、上述した各隙間Ｔが裏側から被覆された構成とされている。上記構成により、シートバック２は、上述した各隙間Ｔが開かれた場合でも、中見え防止カバー２３によって各隙間Ｔから天板サイド部２０の中身が見えないように適切に被覆される構成とされている。ここで、上述した中見え防止カバー２３が本発明の「被覆材」に相当する。
【００２５】
以下、上述したシートバック２の各部の具体的な構成について、詳しく説明していく。先ず、天板メイン部１０の構成について説明する。天板メイン部１０は、図２及び図４に示すように、着座乗員の荷重を弾性的に受け止めることのできるクッション性を備えた発泡ウレタン製の天板メインパッド１１と、天板メインパッド１１の外周面全体をカバーリングする可撓性面状の天板メインカバー１２と、によって構成されている。上述した天板メイン部１０の背裏面、詳しくは上述した天板サイド部２０の各サイドサポート２０Ａと幅方向に隣り合った状態に組み付けられる領域の背裏面には、その左右両側の縁部に、各縁部に沿って高さ方向に長尺状に延びる形とされた帯状の面ファスナ（ループ）１２Ａが一体的に接合されている。
【００２６】
次に、天板サイド部２０の構成について説明する。天板サイド部２０は、シートバック２の内部骨格を構成する略逆Ｕ字形状に組まれたバックフレーム２Ｆに組み付けられて構成されている。上述したバックフレーム２Ｆは、シートバック２の外周部に沿った主要な骨格を形成するメインフレームとして構成され、左右一対の縦長状に延びるサイドフレーム２Ｆａと、各サイドフレーム２Ｆａの上端部間に一体的に架橋されたアッパフレーム２Ｆｂと、を有する構成とされている。
【００２７】
天板サイド部２０は、着座乗員の荷重を弾性的に受け止めることのできるクッション性を備えた発泡ウレタン製の天板サイドパッド２１と、天板サイドパッド２１の外周面全体をカバーリングする可撓性面状の合成皮革材から成る天板サイドカバー２２と、上記天板サイド部２０の各サイドサポート２０Ａ間に架橋された可撓性面状のファブリック材から成る中見え防止カバー２３と、によって構成されている。上述した天板サイドパッド２１は、上述したバックフレーム２Ｆの形に沿った略逆Ｕ字形状に形作られている。
【００２８】
具体的には、上述した天板サイドパッド２１は、上述したバックフレーム２Ｆの各サイドフレーム２Ｆａに前側から被せ付けられる左右一対のサイドパッド部２１Ａと、各サイドパッド部２１Ａの上端部間を繋いでアッパフレーム２Ｆｂに前側から被せ付けられるアッパパッド部２１Ｂと、を有した略逆Ｕ字形状に形作られている。上述した天板サイドパッド２１は、上述した左右一対のサイドパッド部２１Ａとアッパパッド部２１Ｂとによって、上述したバックフレーム２Ｆの各サイドフレーム２Ｆａとアッパフレーム２Ｆｂとをそれぞれ前側と内外周側とからそれぞれ覆いつつ後側からも覆った状態となるように回し込まれて被せ付けられた構成とされている。上述した天板サイド部２０は、上述した各サイドパッド部２１Ａの形状によって、上述した各サイドサポート２０Ａの山形状を形作った構成とされている。
【００２９】
天板サイドカバー２２は、上述した略逆Ｕ字形状に形作られた天板サイドパッド２１に対して、各サイドパッド部２１Ａとアッパパッド部２１Ｂとをそれぞれ内周側と外周側とから包んだ形となるように被せ付けられている。具体的には、図４に示すように、上述した天板サイドカバー２２は、上述した天板サイドパッド２１の各サイドパッド部２１Ａに対して、次のように被せ付けられている。すなわち、上述した天板サイドカバー２２は、上述した天板サイドパッド２１の各サイドパッド部２１Ａにおける着座乗員の背部に両サイドから当てられる内側の傾斜面に被せられるインサイドカバーピース２２Ａと、各サイドパッド部２１Ａの外側の側面に被せられるアウトサイドカバーピース２２Ｂと、各アウトサイドカバーピース２２Ｂの後側に引き込まれた先の縁部同士を繋ぐ背裏側カバーピース２２Ｃと、を有する構成とされている。
【００３０】
上述した各インサイドカバーピース２２Ａには、それらの各サイドパッド部２１Ａの内側の傾斜面に沿って後側に引き込まれた先の各縁部間に、中見え防止カバー２３が縫合されて架橋されている。そして、各インサイドカバーピース２２Ａは、上記後側に引き込まれた先の各縁部に引込み綿布２２Ａ１もそれぞれ縫合されており、これら引込み綿布２２Ａ１を介して各サイドパッド部２１Ａの各サイドフレーム２Ｆａの外側を通って後側に回し込まれた先の箇所にそれぞれ引き込まれて留められた状態とされている。上記引き込みにより、各インサイドカバーピース２２Ａは、各サイドパッド部２１Ａの内側の傾斜面に対して、浮きや皺を生じない形に密着した状態として張設された状態とされている。なお、上述した各引込み綿布２２Ａ１は、各サイドフレーム２Ｆａに対して引き込まれた状態に留められるようになっていてもよい。
【００３１】
中見え防止カバー２３は、上述した各インサイドカバーピース２２Ａの後側に引き込まれた先の各縁部間、詳しくは、上述した各サイドパッド部２１Ａへの引き込みにより位置固定された状態とされる各縁部間に架け渡されて設けられている。上述した中見え防止カバー２３は、上述した各サイドパッド部２１Ａの各サイドフレーム２Ｆａの内側を通って後側に張り出す部分の後側の縁部よりも前側の位置で、上述した各インサイドカバーピース２２Ａの後側に引き込まれた先の縁部と縫合されている。上記中見え防止カバー２３は、上記各サイドパッド部２１Ａに位置固定された状態として設けられる各インサイドカバーピース２２Ａの後側に引き込まれた先の各縁部間に、弛んだ状態として設けられるようになっている。
【００３２】
上記構成により、中見え防止カバー２３は、その前側の領域に設置される天板メイン部１０に対して後側からの押圧力を掛けるようなテンションを付与しない形に設けられた状態とされている。また、上記中見え防止カバー２３は、その後側の領域に設置される不図示のランバサポート機構が天板メイン部１０に後側からの押圧力を掛ける作動を阻害しない状態ともされている。
【００３３】
上述した中見え防止カバー２３は、図２及び図４に示すように、上述した天板メイン部１０が天板サイド部２０に組み付けられるのに伴って、その前面側の左右両側の縁部に沿って高さ方向に長尺状に延びる形に接合された帯状の各面ファスナ（フック）２３Ａに、天板メイン部１０の背裏面の左右両側の縁部に接合された上述した各面ファスナ（ループ）１２Ａが押し当てられて結合されて、天板メイン部１０との間に隙間が形成されない状態に繋ぎ合わされるようになっている。上記各面ファスナ１２Ａ，２３Ａの結合により、上述した天板メイン部１０と天板サイド部２０の各サイドサポート２０Ａとの間の隙間Ｔから指が入れられても、天板メイン部１０の裏側までは入らないように抑止することができるようになっている。
【００３４】
詳しくは、上述した各面ファスナ１２Ａ，２３Ａは、天板メイン部１０の背裏面の左右両側の縁部と中見え防止カバー２３の左右両側の縁部との間に設けられていることで、上記各隙間Ｔからの指入れを天板メイン部１０の背裏面に至る前の浅い位置で適切に食い止めることができるようになっている。また、中見え防止カバー２３が、上述した各インサイドカバーピース２２Ａの間に弛んだ状態で架橋されていても、各インサイドカバーピース２２Ａとの繋ぎ目に近い、弛みによる位置ズレの影響の少ない箇所で各面ファスナ１２Ａ，２３Ａ同士の結合を行えることから、これらの結合を天板メイン部１０の組み付けに合わせて簡便かつ適切に行うことができる。
【００３５】
以上をまとめると、本実施例のシート１は次のような構成となっている。すなわち、個別にカバーリングされた隣り合う２つのクッションピース（天板メイン部１０と天板サイド部２０の各サイドサポート２０Ａ）を備える乗物用シート（シート１）であって、２つのクッションピース（天板メイン部１０と天板サイド部２０の各サイドサポート２０Ａ）の間を裏側から被覆する被覆材（中見え防止カバー２３）が設けられているものである。このように、個別にカバーリングされた２つのクッションピース（天板メイン部１０と天板サイド部２０の各サイドサポート２０Ａ）の間を被覆材（中見え防止カバー２３）によって裏側から被覆することで、これらクッションピース（天板メイン部１０と天板サイド部２０の各サイドサポート２０Ａ）が外部荷重によって互いの間が開かれるように力を受けても、これらクッションピース（天板メイン部１０と天板サイド部２０の各サイドサポート２０Ａ）の間から内部構造が見えることを防止することができる。
【００３６】
また、上記２つのクッションピースが、シート幅方向の中央の支持構造を成す天板メインピース（天板メイン部１０）と、シート幅方向の両サイドの支持構造を成す両天板サイドピース（両サイドサポート２０Ａ）と、で構成されている。被覆材（中見え防止カバー２３）が、天板メインピース（天板メイン部１０）の裏側を通って天板メインピース（天板メイン部１０）の両サイドに位置する両天板サイドピース（両サイドサポート２０Ａ）間に架橋された構成とされている。このように、被覆材（中見え防止カバー２３）を両天板サイドピース（両サイドサポート２０Ａ）間に架橋することで、被覆材（中見え防止カバー２３）を天板メインピース（天板メイン部１０）に固定することなく、同天板メインピース（天板メイン部１０）と両天板サイドピース（両サイドサポート２０Ａ）との間を被覆材（中見え防止カバー２３）によって裏側から適切に被覆することができる。
【００３７】
また、被覆材（中見え防止カバー２３）が、両天板サイドピース（両サイドサポート２０Ａ）の背面間に架橋されている。このような構成とされていることにより、天板メインピース（天板メイン部１０）を両天板サイドピース（両サイドサポート２０Ａ）の間に深く入り込ませた状態に設けることができる。したがって、天板メインピース（天板メイン部１０）に厚みを持たせたり、両天板サイドピース（両サイドサポート２０Ａ）を天板メインピース（天板メイン部１０）に対して相対的に表側へ張り出させた状態に設けたりすることができる。
【００３８】
また、被覆材（中見え防止カバー２３）が、両天板サイドピース（両サイドサポート２０Ａ）間において、天板メインピース（天板メイン部１０）に裏側からテンションを付与しない形に弛んだ状態として架橋されている。このような構成とされていることにより、両天板サイドピース（両サイドサポート２０Ａ）間に被覆材（中見え防止カバー２３）を架橋しても、天板メインピース（天板メイン部１０）が被覆材（中見え防止カバー２３）によって裏側から押し返されるような反発力を受けないため、天板メインピース（天板メイン部１０）のクッション性を阻害しないようにすることができる。
【００３９】
また、天板メインピース（天板メイン部１０）がその裏側に位置する被覆材（中見え防止カバー２３）に結合されている。このような構成とされていることにより、天板メインピース（天板メイン部１０）と被覆材（中見え防止カバー２３）との間の隙を閉じることができ、指入れ防止や異物の入り込み防止を図ることができる。
【００４０】
また、天板メインピース（天板メイン部１０）がその裏側面における両サイドの縁部が被覆材（中見え防止カバー２３）に結合されている。このような構成とされていることにより、天板メインピース（天板メイン部１０）と被覆材（中見え防止カバー２３）との間の隙を表側に近い浅い位置で閉じることができ、指入れ防止や異物の入り込み防止の効果をより高めることができる。
【００４１】
以上、本発明の実施形態を１つの実施例を用いて説明したが、本発明は上記実施例のほか各種の形態で実施することができるものである。例えば、本発明の乗物用シートは、自動車の左側座席以外のシートの他、鉄道等の自動車以外の車両や、航空機、船舶等の様々な乗物用に供されるシートにも適用することができるものである。また、本発明の構成は、シートバックの他、シートクッションやヘッドレスト、オットマン、アームレスト等の他のシート構造物に対しても適用することができるものである。
【００４２】
また、個別にカバーリングされた隣り合う２つのクッションピースの隣り合う方向は、シート幅方向に限らず、シート高さ方向や前後方向等の他の方向であってもよい。また、被覆材は、ファブリック材や皮革材等の可撓性の面状材から成るものに限らず、パネル等の硬質材やゴム等の弾性材から成るものであってもよい。また、被覆材は、個別にカバーリングされた隣り合う２つのクッションピース間に架橋されたり、一方から片持ち状態で張り出して他方との隙間を裏側から被覆するように設けられたものであってもよい。また、天板メインピースとその裏側に配置される被覆材とを結合する手段は、面ファスナに限らず、線ファスナやホック、掛ボタン構造等の他の結合構造から成るものであってもよい。また、各クッションピースは、皮革材の他、ファブリック材によってカバーリングされていてもよい。
【符号の説明】
【００４３】
１      シート（乗物用シート）
２      シートバック
２Ｆ    バックフレーム
２Ｆａ  サイドフレーム
２Ｆｂ  アッパフレーム
３      シートクッション
４      ヘッドレスト
１０    天板メイン部（天板メインピース）
１０Ａ  肩掛け部
１０Ｂ  開口部
１１    天板メインパッド
１２    天板メインカバー
１２Ａ  面ファスナ（ループ）
２０    天板サイド部
２０Ａ  サイドサポート（天板サイドピース）
２１    天板サイドパッド
２１Ａ  サイドパッド部
２１Ｂ  アッパパッド部
２２    天板サイドカバー
２２Ａ  インサイドカバーピース
２２Ａ１  引込み綿布
２２Ｂ  アウトサイドカバーピース
２２Ｃ  背裏側カバーピース
２３    中見え防止カバー（被覆材）
２３Ａ  面ファスナ（フック）
Ｔ      隙間
【図１】
2018001992.tif 000003
【図２】
2018001992.tif 000004
【図３】
2018001992.tif 000005
【図４】
2018001992.tif 000006